(57)【特許請求の範囲】
【請求項１】
電動車両に搭載される複数の電気部品と、
電流経路に沿って長い板状の金属部材であり、前記複数の電気部品の間で電流を流す複数のバスバーと、
導電性と熱伝導性とを有し、所定の経路に沿って長い板状の部材である冷却バーと、
絶縁性と熱伝導性とを有し、前記複数のバスバーと前記冷却バーとを少なくとも一部の範囲で並列に保持する保持体と、
前記複数の電気部品を収容又は支持する金属製の構造体と、
を備え、
前記冷却バーは、少なくとも一箇所が前記構造体に熱的に接続され、互いに離間した少なくとも二箇所が前記構造体に導通または交流的に接続され、
複数の前記電気部品のうち第１電気部品と第２電気部品とを接続する前記バスバーと、前記バスバーに対して一部が並列に配置される前記冷却バーと、前記第１電気部品および前記第２電気部品と容量接続される前記構造体と、が閉回路を構成することを特徴とする電動車両の電気ユニット。
【請求項２】
前記複数のバスバーは２つの電気部品の間で電流を流す構成であり、
前記保持体は、前記複数のバスバーと前記冷却バーとをこの順に並べて保持し、且つ、前記複数のバスバーの前記構造体側に前記冷却バーを配置することを特徴とする請求項１記載の電動車両の電気ユニット。
【請求項３】
電動車両に搭載される複数の電気部品と、
電流経路に沿って長い板状の金属部材であり、前記複数の電気部品の間で電流を流す複数のバスバーと、
導電性と熱伝導性とを有し、所定の経路に沿って長い板状の部材である冷却バーと、
絶縁性と熱伝導性とを有し、前記複数のバスバーと前記冷却バーとを少なくとも一部の範囲で並列に保持する保持体と、
前記複数の電気部品を収容又は支持する金属製の構造体と、
を備え、
前記冷却バーは、少なくとも一箇所が前記構造体に熱的に接続され、互いに離間した少なくとも二箇所が前記構造体に導通または交流的に接続され、
前記複数のバスバーは、３つ以上の電気部品の内、第１組の２つの電気部品の間で電流を流す第１系統のバスバーと、前記３つ以上の電気部品の内、前記第１組と異なる第２組の２つの電気部品の間で電流を流す第２系統のバスバーとが含まれ、
前記保持体は、前記第１系統のバスバーと前記冷却バーと前記第２系統のバスバーとを、この順に並べて保持することを特徴とする電動車両の電気ユニット。
【請求項４】
前記冷却バーの両端部が前記構造体に接続され、前記冷却バーと前記構造体の一部とが電気的な閉回路を構成することを特徴とする請求項１から請求項３のいずれか一項に記載の電動車両の電気ユニット。
【請求項５】
前記保持体は、空気の熱伝導率より高い熱伝導率を有する材料から構成され、
前記複数のバスバーと前記冷却バーとが前記保持体に埋め込まれていることを特徴とする請求項１から請求項４の何れか一項に記載の電動車両の電気ユニット。
【発明の詳細な説明】
【技術分野】
【０００１】
本発明は、電動車両の電気ユニットに関する。
【背景技術】
【０００２】
電動車両は、バッテリ、インバータ、モータなど、高電圧が加わり大電流が流れる複数の電気部品を備える。これらの電気部品は、板状の導体であるバスバーを介して互いに接続されることがある。このような構成では、何ら対策をしないと、大電流に起因して大きな電磁ノイズが発生する。なお、バスバーとは、本来、電流を複数の導体に分配する母線の意味を含んでいるが、本明細書においては、板状に構成されて大電流を効率的に流す導体のことをバスバーと呼ぶ。
【０００３】
以前より、複数のバスバーを所定の組み合わせで対向配置することで、バスバーから放射される電磁ノイズを低減する技術が知られている。例えば、バッテリの陽極に接続されるＰバスバーと陰極に接続されるＮバスバーとを対向配置すると、ＰバスバーとＮバスバーとに電流値が等しく互いに逆向きの電流がそれぞれ流れる。よって、Ｐバスバーの電流が発生する磁界とＮバスバーの電流が発生する磁界とが打消し合って電磁ノイズが低減する。
【０００４】
一方、複数のバスバーを近接配置すると、大電流により発生した熱が集中して、この箇所が高熱になるという問題が生じる。このような熱の問題を解決する技術として、特許文献１には、ヒートシンクによって複数のバスバーを束ねて冷却する構造が開示されている。また、特許文献２には、複数のバスバーを板面が同一平面上に並ぶように配置し、絶縁部材により複数のバスバーの中間部を覆ったバスバーセットが開示されている。
【０００５】
また、電気自動車の電磁ノイズ耐性を向上する技術として、特許文献３には、コンデンサケースを電磁シールドとして機能させる三相インバータ装置が開示されている。
【先行技術文献】
【特許文献】
【０００６】
【特許文献１】特開平０６−３５１１０９号公報
【特許文献２】特開２０１２−１８２０４７号公報
【特許文献３】特開平１１−１３６９６０号公報
【発明の概要】
【発明が解決しようとする課題】
【０００７】
上述したように、複数のバスバーを所定の組み合わせで対向配置すると電磁ノイズを低減できる。この場合、複数のバスバーが近接されるほど、電磁ノイズはより低減される。一方、熱の問題を考慮すると、複数のバスバーは余り近接させないほうが好ましい。このように、これらは二律背反の関係にある。
【０００８】
一方、熱の対策を行うことで、複数のバスバーを近接して配置することが可能となる。しかしながら、特許文献１に示されるように、ヒートシンクを用いて放熱を行う構成では、ヒートシンクを配置するために大きな空間が必要である。また、バスバーが長く、バスバーの複数の区間で冷却を要する場合には、このような空間が複数必要となる。また、特許文献２に示されるように複数のバスバーを広げて配置する構成では、バスバーのコンパクトな配置が難しい。従って、これらの構成を採用すると、バスバーの配線レイアウトの自由度が低下し、限られた空間にバスバーを配置することが困難になるという問題が生じる。
【０００９】
ところで、複数のバスバーを所定の組み合わせで対向配置する方法では、ノーマルモードの電流に起因する電磁ノイズを低減することができる。しかしながら、バスバーには、ノイズとして高周波のコモンモードの電流が混入することがある。コモンモードの電流は、例えばインバータの動作に起因して発生する。このような電流が混入されると、センサ又は電気回路に影響を及ぼしやすい高周波の電磁ノイズが発生する。コモンモードの電流は、複数のバスバーに同一方向に流れるため、複数のバスバーを近接させて配置しても電磁ノイズは低減しない。
【００１０】
本発明は、ノーマルモードの電流に起因する電磁ノイズとコモンモードの電流に起因する電磁ノイズの両方を抑制でき、加えて、バスバーの配線レイアウトの自由度を低下させずに高熱の発生を抑制できる電動車両の電気ユニットを提供することを目的とする。
【課題を解決するための手段】
【００１１】
請求項１に記載の発明は、
電動車両に搭載される複数の電気部品と、
電流経路に沿って長い板状の金属部材であり、前記複数の電気部品の間で電流を流す複数のバスバーと、
導電性と熱伝導性とを有し、所定の経路に沿って長い板状の部材である冷却バーと、
絶縁性と熱伝導性とを有し、前記複数のバスバーと前記冷却バーとを少なくとも一部の範囲で並列に保持する保持体と、
前記複数の電気部品を収容又は支持する金属製の構造体と、
を備え、
前記冷却バーは、少なくとも一箇所が前記構造体に熱的に接続され、互いに離間した少なくとも二箇所が前記構造体に導通または交流的に接続され、
複数の前記電気部品のうち第１電気部品と第２電気部品とを接続する前記バスバーと、前記バスバーに対して一部が並列に配置される前記冷却バーと、前記第１電気部品および前記第２電気部品と容量接続される前記構造体と、が閉回路を構成する電動車両の電気ユニットとした。
【００１２】
請求項２に記載の発明は、請求項１記載の電動車両の電気ユニットにおいて、
前記複数のバスバーは２つの電気部品の間で電流を流す構成であり、
前記保持体は、前記複数のバスバーと前記冷却バーとをこの順に並べて保持し、且つ、前記複数のバスバーの前記構造体側に前記冷却バーを配置することを特徴とする。
【００１３】
請求項３に記載の発明は、
電動車両に搭載される複数の電気部品と、
電流経路に沿って長い板状の金属部材であり、前記複数の電気部品の間で電流を流す複数のバスバーと、
導電性と熱伝導性とを有し、所定の経路に沿って長い板状の部材である冷却バーと、
絶縁性と熱伝導性とを有し、前記複数のバスバーと前記冷却バーとを少なくとも一部の範囲で並列に保持する保持体と、
前記複数の電気部品を収容又は支持する金属製の構造体と、
を備え、
前記冷却バーは、少なくとも一箇所が前記構造体に熱的に接続され、互いに離間した少なくとも二箇所が前記構造体に導通または交流的に接続され、
前記複数のバスバーは、３つ以上の電気部品の内、第１組の２つの電気部品の間で電流を流す第１系統のバスバーと、前記３つ以上の電気部品の内、前記第１組と異なる第２組の２つの電気部品の間で電流を流す第２系統のバスバーとが含まれ、
前記保持体は、前記第１系統のバスバーと前記冷却バーと前記第２系統のバスバーとを、この順に並べて保持することを特徴とする電動車両の電気ユニットである。
【００１４】
請求項４に記載の発明は、請求項１から請求項３のいずれか一項に記載の電動車両の電気ユニットにおいて、
前記冷却バーの両端部が前記構造体に接続され、前記冷却バーと前記構造体の一部とが電気的な閉回路を構成することを特徴とする。
【００１５】
請求項５に記載の発明は、請求項１から請求項４の何れか一項に記載の電動車両の電気ユニットにおいて、
前記保持体は、空気の熱伝導率より高い熱伝導率を有する材料から構成され、
前記複数のバスバーと前記冷却バーとが前記保持体に埋め込まれている構成とした。
【発明の効果】
【００１６】
本発明によれば、構造体と熱的に接続された冷却バーが複数のバスバーと少なくとも一部の範囲で並列に保持される。よって、バスバーの配線レイアウトの自由度を大きく低下させずに、複数のバスバーを冷却できる。さらに、冷却バーにより複数のバスバーが冷却されるので、複数のバスバーを近接配置できる。これによりノーマルモードの電流に起因する電磁ノイズを低減できる。加えて、冷却バーの離間した二箇所が構造体に導通または交流的に接続される。よって、複数のバスバーにコモンモードの高周波の電流が流れたときに、この電流を打ち消すような電流を冷却バーに流すことができる。これにより、コモンモードの電流に起因する電磁ノイズも低減できる。
【図面の簡単な説明】
【００１７】
【図１】本発明の実施形態に係る電動車両の電気ユニットを示す一部破断の概略図である。
【図２】バスバーと冷却バーの保持構造および配置例を示す一部破断の斜視図であり、（Ａ）は第１例を示し、（Ｂ）は第２例を示す。
【図３】コモンモードの電流に起因する電磁ノイズが低減される作用を説明する図であり、（Ａ）は冷却バーが有る場合の説明図、（Ｂ）は冷却バーが無い場合の説明図である。
【発明を実施するための形態】
【００１８】
以下、本発明の実施形態について図面を参照して詳細に説明する。図１は、本発明の実施形態に係る電動車両の電気ユニットを示す一部破断の概略図である。図２（Ａ）は、バスバーと冷却バーとの保持構造および冷却バーの第１の配置例を示す一部破断の斜視図である。図２（Ｂ）は、バスバーと冷却バーとの保持構造および冷却バーの第２の配置例を示す一部破断の斜視図である。
【００１９】
本実施形態の電気ユニット１は、電動車両に搭載され、走行用の電力をモータに出力するユニットである。電気ユニット１は、複数の電気部品（１０、２０、３０）、バスバー２、３、冷却バー４Ａ、４Ｂ、バスバーケース５Ａ、５Ｂ、金属筐体６Ａ、金属フレーム６Ｂ、およびケーブル８を備える。バスバーケース５Ａ、５Ｂは、本発明に係る保持体の一例に相当する。金属筐体６Ａおよび金属フレーム６Ｂは本発明に係る金属製の構造体の一例に相当する。
【００２０】
電気部品（１０、２０、３０）は、走行用の電力を扱う高電圧部品である。本実施形態では、電気部品の一例として、走行用の電力を蓄積するバッテリ１０、バッテリ１０の直流電圧を三相交流電圧に変換するインバータ２０、ケーブル８を介して三相交流電圧をモータに出力する端子台３０が適用されている。
【００２１】
バスバー２、３は、電流経路に沿って長い板状の部材であり、アルミ又は銅などの金属部材から構成される。本実施形態の電気ユニット１は、バッテリ１０とインバータ２０との間に接続される第１系統の２つのバスバー２と、インバータ２０と端子台３０との間に接続される第２系統の３つのバスバー３とを有する。バッテリ１０とインバータ２０とは第１組の２つの電気部品に相当し、インバータ２０と端子台３０とは第２組の２つの電気部品に相当する。
【００２２】
第１系統の２つのバスバー２は、バッテリ１０の陽極と陰極とにそれぞれ電気的に接続され、バッテリ１０とインバータ２０との間で直流の電流を流す。第１系統の２つのバスバー２は、互いの板面が対向するように平行に並んで近接配置される。なお、２つのバスバー２は、全範囲においてこのように配置される必要はなく、長手方向に沿った半分以上の範囲でこのように配置されるとよい。
【００２３】
第２系統の３つのバスバー３は、インバータ２０の三相の出力端子にそれぞれ接続され、インバータ２０と端子台３０との間で三相の交流電流を流す。第２系統の３つのバスバー３は、各板面が同一方向を向き、且つ、３つのバスバー３が各板面に直交する方向に並列される。なお、３つのバスバー３は、全範囲においてこのように配置される必要はなく、長手方向に沿った半分以上の範囲で、このように配置されるとよい。
【００２４】
冷却バー４Ａ、４Ｂは、導電性と熱伝導性とを有し、所定経路に沿って長い板状の部材である。冷却バー４Ａ、４Ｂは、バスバーケース５Ａ、５Ｂより高い熱伝導率を有するとよく、加えて、バスバー２、３と同様の導電性を有するとよい。冷却バー４Ａ、４Ｂは、例えばアルミ又は銅などの金属部材から構成できる。
【００２５】
この実施形態では、第１系統の２つのバスバー２に対応して１本の冷却バー４Ａが設けられ、第２系統の３つのバスバー３に対応して１本の冷却バー４Ｂが設けられている。冷却バー４Ａは、少なくとも一部の範囲で、第１系統の複数のバスバー２に沿って配置される。バスバー２に沿った範囲において、冷却バー４Ａは、板面を１つのバスバー２の板面に対向させて、２つのバスバー２と並列される。冷却バー４Ａは、バスバー２の長手方向に沿った半分以上の範囲で、このようにバスバー２に沿って配置されるとよい。冷却バー４Ａの両端部は、金属フレーム６Ｂに接続される。
【００２６】
もう一方の冷却バー４Ｂも、第２系統のバスバー３に対応して同様に配置される。冷却バー４Ｂの両端部は金属フレーム６Ｂに接続される。
【００２７】
バスバーケース５Ａ、５Ｂは、バスバー２、３と冷却バー４Ａ、４Ｂとを保持する部材である。バスバーケース５Ａ、５Ｂは、空気の熱伝導率より高い熱伝導率を有し、さらに絶縁性を有する。バスバーケース５Ａ、５Ｂの材料としては、例えばポリプロピレン又はポリプロピレンテレフタレートなどの樹脂、或いは、これらに熱伝導フィラーを配合した高熱伝導性樹脂を適用できる。
【００２８】
図２（Ａ）に示すように、バスバーケース５Ａは、少なくとも一部の範囲で、複数のバスバー２と冷却バー４Ａとを近接させて保持する。バスバーケース５Ａ内において、複数のバスバー２と冷却バー４Ａとは、この順に並列される。バスバーケース５Ａは、複数のバスバー２の長手方向の半分以上の範囲で、このように複数のバスバー２と冷却バー４Ａとを保持するとよい。
【００２９】
バスバーケース５Ａには、複数のバスバー２と冷却バー４Ａとが埋め込まれている。このような構成はインサート成形などにより達成できる。或いは、図２（Ａ）に示すように、バスバーケース５Ａが複数の溝を有し、これらの溝に複数のバスバー２と冷却バー４Ａとが嵌め込まれた構成を採用してもよい。この場合、溝幅を大きめに構成し、複数のバスバー２と溝の内面との間、並びに、冷却バー４Ａと溝の内面との間に、熱伝導率の高い材料を挟んで、これらが密接する構成としてもよい。
【００３０】
もう一方のバスバーケース５Ｂも、同様に複数のバスバー３と冷却バー４Ｂとを保持する。バスバーケース５Ｂ内において、３つのバスバー３と冷却バー４Ｂとはこの順に並列される。
【００３１】
なお、図２（Ｂ）に示すようなバスバーケース５Ｃを採用してもよい。図２（Ｂ）は、配線レイアウトの都合により、第１系統のバスバー２と第２系統のバスバー３とが、一部分で近接して並列する配線レイアウトが採用された場合を示している。この場合、バスバーケース５Ｃは、第１系統のバスバー２と第２系統のバスバー３と冷却バー４Ｃとを並列に保持する。バスバーケース５Ｃ内において、第１系統の複数のバスバー２、冷却バー４Ｃ、第２系統の複数のバスバー３は、この順に並列されるとよい。このような配置により、冷却バー４Ｃが第１系統の複数のバスバー２と第２系統の複数のバスバー３との間で電磁シールドとして機能する。これにより、第１系統のバスバー２と第２系統のバスバー３の電気的な干渉（誘導結合）を低減できる。
【００３２】
金属筐体６Ａは、複数の電気部品（１０、２０、３０）、複数のバスバー２、３、冷却バー４Ａ、４Ｂ、およびバスバーケース５Ａ、５Ｂを収容する。また、金属フレーム６Ｂは、複数の電気部品（１０、２０、３０）を支持する。金属筐体６Ａおよび金属フレーム６Ｂは電動車両のボディアースに電気的に接続されてもよい。なお、金属筐体６Ａの代わりに、電磁シールド材に覆われた樹脂製の筐体が採用されてもよい。また、金属フレーム６Ｂを省き、金属筐体６Ａに複数の電気部品（１０、２０、３０）が支持される構成としてもよい。
【００３３】
なお、図１では、簡略化して、バスバー２、３および冷却バー４Ａ、４Ｂを直線状に示し、バスバーケース５Ａ、５Ｂを直方体状に示している。しかしながら、通常、バスバー２、３は配線レイアウト上の要求から任意の経路で曲がった形状となる。この場合、冷却バー４Ａ、４Ｂとバスバーケース５Ａは、それぞれバスバー２、３の経路に沿って曲がった形態に構成される。また、複数の電気部品（１０、２０、３０）を接続する導体は、全区間をバスバーにより構成する必要はなく、一部の区間にケーブルが挟まれてもよい。
【００３４】
＜放熱および電磁ノイズ低減の作用＞
続いて、実施形態の電気ユニット１の放熱および電磁ノイズ低減の作用について説明する。本実施形態では、第１系統の複数のバスバー２が冷却バー４Ａと並列されてバスバーケース５Ａに保持される。また、第２系統の複数のバスバー３が冷却バー４Ｂと並列されてバスバーケース５Ｂに保持される。従って、複数のバスバー２に発生したジュール熱は、バスバーケース５Ａ、冷却バー４Ａ、および金属フレーム６Ｂへと伝わって放散される。同様に、複数のバスバー３に発生したジュール熱は、バスバーケース５Ｂ、冷却バー４Ｂ、金属フレーム６Ｂ、および金属筐体６Ａへと伝わって外部に放散される。このように複数のバスバー２、３は、長手方向の多くの区間において冷却バー４Ａ、４Ｂに熱を放散させて効率的に冷却される。
【００３５】
さらに、本実施形態では、複数のバスバー２、３が効率的に冷却されるので、系統毎に複数のバスバー２、３を近接した配置にできる。そして、このような配置により、複数のバスバー２、３に流れるノーマルモードの電流に起因する電磁ノイズを低減できる。具体的には、２つのバスバー２には互いに逆向きの電流が流れるので、２つのバスバー２が近接することで、これらの電流により発生する磁界が打ち消し合って電磁ノイズが低減される。また、３つのバスバー３には足し合わせるとゼロになる三相交流電流が流れるので、３つのバスバー３が近接することで、これらの電流により発生する磁界が打ち消し合って電磁ノイズが低減される。
【００３６】
さらに、本実施形態では、複数のバスバー２、３に沿って冷却バー４Ａ、４Ｂが設けられ、冷却バー４Ａ、４Ｂの両端部が金属フレーム６Ｂに接続されている。これらによって、複数のバスバー２、３の各々に流れるコモンモードの電流に起因した電磁ノイズを低減することができる。続いて、この理由について説明する。
【００３７】
図３は、コモンモードの電流に起因する電磁ノイズが低減される作用を説明する図であり、（Ａ）は冷却バーが有る場合の説明図、（Ｂ）は冷却バーが無い場合の説明図である。
【００３８】
高電圧が加えられる電気部品は、寄生容量を介して近接する導電体と容量接続される。図３の例では、寄生容量Ｃ１０１、Ｃ１０２を介してバッテリ１０とインバータ２０とが金属フレーム６Ｂと容量接続されている。さらに、インバータ２０では、高速にパワートランジスタがオンとオフとに切り替えられる。このような構成では、図３（Ａ）、（Ｂ）に示すように、寄生容量Ｃ１０１、Ｃ１０２を介して複数のバスバー２に同方向のコモンモードの電流が高周波ノイズとして流れる。図３（Ａ）、（Ｂ）において、一点鎖線の矢印によりコモンモードの電流を示す。
【００３９】
図３（Ｂ）に示すように、冷却バー４Ａが無い場合、複数のバスバー２に流れたコモンモードの電流は金属フレーム６Ｂを伝わってバッテリ１０からインバータ２０へ、或いは、その逆へ流れる。従って、コモンモードの電流ループの面積Ｓ１が大きくなる。交流電流が流れる閉ループの面積が大きくなると、交流電流によって発生する磁束は大きくなる。従って、図３（Ｂ）の構成では、比較的に大きな電磁ノイズが発生する。
【００４０】
一方、図３（Ａ）に示すように、複数のバスバー２の金属フレーム６Ｂ側に冷却バー４Ａが設けられると、複数のバスバー２に流れた高周波のコモンモードの電流は、金属フレーム６Ｂよりも冷却バー４Ａに流れて戻る。これは、金属フレーム６Ｂを通る閉回路よりも、冷却バー４Ａを通る閉回路のほうが、低インピーダンスとなるからである。両者のインピーダンスは、閉回路のインダクタンスの大きさだけ異なる。インダクタンスは、閉回路のループ面積が小さいほうが小さくなる。このため、冷却バー４Ａを通る閉回路のほうが低インピーダンスとなる。
【００４１】
従って、本実施形態の電気ユニット１では、図３（Ａ）に示すように、複数のバスバー２に流れるコモンモードの電流は、複数のバスバー２に並列された冷却バー４Ａを介して戻る。従って、コモンモードの電流ループの面積Ｓ０は小さくなり、これに起因する電磁ノイズが低減する。
【００４２】
第２系統のバスバー３および冷却バー４Ｂについても同様である。
【００４３】
以上のように、本実施形態の電気ユニット１によれば、バスバー２、３に並列される冷却バー４Ａ、４Ｂによって、バスバー２、３の多くの範囲からジュール熱を吸収し、これを金属フレーム６Ｂへ導いて、金属筐体６Ａから外部へ放散できる。バスバー２、３は金属筐体６Ａによってほぼ密閉された空間内に配置されるため、金属筐体６Ａより外への放熱は非常に有効である。
【００４４】
さらに、複数のバスバー２、３と冷却バー４Ａ、４Ｂとは、所定経路に沿って長い板状の構成であり、加えて、互いの板面が対向する向きで並列される。よって、冷却バー４Ａ、４Ｂを含めても、これらの構成をコンパクトにでき、バスバー２、３のレイアウト自由度が余り低下しない。
【００４５】
さらに、バスバー２、３と冷却バー４Ａ、４Ｂとは同様の製造プロセスで製造できるため、製造コストも低く抑えられる。さらに、２つのバスバー２と冷却バー４Ａとはバスバーケース５Ａによって一体的にできる。また、３つのバスバー３と冷却バー４Ｂとはバスバーケース５Ｂによって一体的にできる。これらによって、電気ユニット１の組立工程においてバスバー２、３と冷却バー４Ａ、４Ｂとの組付け作業性が向上する。
【００４６】
加えて、本実施形態の電気ユニット１によれば、上述のように、バスバー２、３に流れるノーマルモードの電流に起因する電磁ノイズと、コモンモードの電流に起因する電磁ノイズとの両方を低減することができる。
【００４７】
以上、本発明の実施形態を説明した。しかしながら、本発明はこれに限られるものではない。例えば、上記実施形態では、冷却バー４Ａ、４Ｂの両端部を金属フレーム６Ｂに接続した構成を示した。しかし、冷却バー４Ａ、４Ｂは、少なくとも一箇所が熱的に金属製の構造体に接続され、且つ、互いに離間した少なくとも二箇所が金属製の構造体に導通或いは交流的に接続されればよい。熱的な接続とは、直接の接続だけでなく、熱伝導性の高い部材を介した接続など、直接に接続したのと同程度に熱を伝達できる接続を含んだ態様を意味する。交流的な接続とは、直接の接続だけでなく、例えば、絶縁性を有する薄い部材を介した面接触など、直接に接続したのと同程度にコモンモードの電流を流すことのできる接続を含んだ態様を意味する。
【００４８】
また、上記実施形態では、複数の電気部品としてバッテリ、インバータ、および端子台を適用した例を示したが、走行用モータ、発電機、コンバータなど、高電圧が加えられる様々な電気部品が適用されてもよい。また、本明細書においては電動車両をハイブリッド電気自動車、又は、電気自動車と読み替えてもよい。
【符号の説明】
【００４９】
１  電気ユニット
２、３  バスバー
４Ａ、４Ｂ  冷却バー
５Ａ、５Ｂ、５Ｃ  バスバーケース（保持体）
６Ａ  金属筐体（構造体）
６Ｂ  金属フレーム（構造体）
１０  バッテリ（電気部品）
２０  インバータ（電気部品）
３０  端子台（電気部品）
【図１】
0006770342.tif 000002
【図２】
0006770342.tif 000003
【図３】
0006770342.tif 000004